(57)【特許請求の範囲】
【請求項１】
便器本体、及びこの便器本体の後部上面に配置して前記便器本体に洗浄水を供給する便器洗浄装置を有する水洗式便器と、この水洗式便器を設置するトイレルームの壁面に沿って配置しつつ、前記便器洗浄装置を収納するキャビネットとを備えた収納一体型便器であって、
前記キャビネットは、
前記便器洗浄装置の前方に配置する前板部、及びこの前板部の左右端部から後方に延び、かつ下端面を前記トイレルームの床面に載置し、平板状の係止片部を有する係止部材を後上部に設けた左右側板部を一体に形成したキャビネット本体と、
前記係止片部を下方から挿入するスリットを左右両端部に設けて前記左右側板部に対して着脱自在であり、前記左右側板部の後上部間を連結して前記壁面に固定する背板とを有していることを特徴とする収納一体型便器。
【請求項２】
前記係止片部は前後方向及び垂直方向に延びていることを特徴とする請求項１記載の収納一体型便器。
【請求項３】
前記係止部材は、前記左右側板部の後上部の内側面に固定される固定片部と、この固定片部から内側に延びた第１片部と、この第１片部の内側端部から後方に延びた前記係止片部と、この係止片部の後端部から左右方向の一方に延びた第２片部とを有していることを特徴とする請求項２記載の収納一体型便器。
【請求項４】
前記キャビネット本体は、前記前板部を前後方向に貫通した軸部材と、この軸部材に連結して回動し、前記前板部の前面側に取り付けられた操作部材とを有する洗浄ハンドルを具備し、
前記洗浄装置は、前記軸部材に係合して回動する軸受部材を前面に設け、この軸受部材が回動すると前記便器本体に洗浄水を供給することを特徴とする請求項１乃至３のいずれか１項記載の収納一体型便器。
【請求項５】
便器本体、及びこの便器本体の後部上面に配置して前記便器本体に洗浄水を供給する便器洗浄装置を有する水洗式便器と、この水洗式便器を設置するトイレルームの壁面に沿って配置しつつ、前記便器洗浄装置を収納するキャビネットとを備えた収納一体型便器であって、
前記キャビネットは、
前記便器洗浄装置の前方に配置する前板部、及びこの前板部の左右端部から後方に延び、かつ下端面を前記トイレルームの床面に載置する左右側板部を一体に形成したキャビネット本体と、
前記左右側板部に対して着脱自在であり、前記左右側板部の後上部間を連結して前記壁面に固定する背板とを有している収納一体型便器の施工方法であって、
前記便器洗浄装置を収納した状態に前記キャビネット本体を仮置きした後、前記背板によって前記左右側板部の後部の上部間を連結し、この背板を前記壁面に固定することを特徴とする収納一体型便器の施工方法。
【発明の詳細な説明】
【技術分野】
【０００１】
本発明は収納一体型便器及びその施工方法に関する。
【背景技術】
【０００２】
特許文献１の図６には従来の収納一体型便器が開示されている。この収納一体型便器は、便器本体、及びこの便器本体の後部上面に配置して便器本体に洗浄水を供給する洗浄タンクを有する水洗式便器と、この水洗式便器を設置するトイレルームの壁面に沿って配置しつつ、洗浄タンクを収納するキャビネットとを備えている。このキャビネットは、洗浄タンクの前方に配置する前板部、及びこの前板部の左右端部から後方に延び、かつ下端面をトイレルームの床面に載置する左右側板部を一体に形成したキャビネット本体と、キャビネット本体の上端に載置する天板とを有している。
【０００３】
この収納一体型便器は、キャビネットによって洗浄タンクを隠蔽することができるため、外観上の見栄えを良くすることができる。
【先行技術文献】
【特許文献】
【０００４】
【特許文献１】特開２００３−３２５３８３号公報
【発明の概要】
【発明が解決しようとする課題】
【０００５】
しかし、特許文献１に開示された収納一体型便器では、キャビネット本体の左右側板部をトイレルームの壁面に固定する際、Ｌ字状の取付金具等を利用することが考えられる。このような取付金具を利用してキャビネット本体をトイレルームの壁面に固定する場合には、左右側板部の後端部の間隔が設定間隔よりも広くなったり、狭くなったりしないように位置決めを適切にしなければならない。このため、収納一体型便器の施工に手間がかかる。
【０００６】
本発明は、上記従来の実情に鑑みてなされたものであって、容易に施工することができる収納一体型便器及びその施工方法を提供することを解決すべき課題としている。
【課題を解決するための手段】
【０００７】
本発明の収納一体型便器は、便器本体、及びこの便器本体の後部上面に配置して前記便器本体に洗浄水を供給する便器洗浄装置を有する水洗式便器と、この水洗式便器を設置するトイレルームの壁面に沿って配置しつつ、前記便器洗浄装置を収納するキャビネットとを備えた収納一体型便器であって、
前記キャビネットは、
前記便器洗浄装置の前方に配置する前板部、及びこの前板部の左右端部から後方に延び、かつ下端面を前記トイレルームの床面に載置し、平板状の係止片部を有する係止部材を後上部に設けた左右側板部を一体に形成したキャビネット本体と、
前記係止片部を下方から挿入するスリットを左右両端部に設けて前記左右側板部に対して着脱自在であり、前記左右側板部の後上部間を連結して前記壁面に固定する背板とを有していることを特徴とする。
【０００８】
この収納一体型便器では、左右側板部に対して着脱自在な背板によって左右側板部の後上部間を連結するため、左右側板部の後端部を容易に設定間隔に固定することができる。このため、キャビネットをトイレルームの壁面の所定の位置に容易に固定することができる。
【０００９】
また、収納一体型便器の施工方法は、便器本体、及びこの便器本体の後部上面に配置して前記便器本体に洗浄水を供給する便器洗浄装置を有する水洗式便器と、この水洗式便器を設置するトイレルームの壁面に沿って配置しつつ、前記便器洗浄装置を収納するキャビネットとを備えた収納一体型便器であって、
前記キャビネットは、
前記便器洗浄装置の前方に配置する前板部、及びこの前板部の左右端部から後方に延び、かつ下端面を前記トイレルームの床面に載置する左右側板部を一体に形成したキャビネット本体と、
前記左右側板部に対して着脱自在であり、前記左右側板部の後上部間を連結して前記壁面に固定する背板とを有している収納一体型便器の施工方法であって、
前記便器洗浄装置を収納した状態に前記キャビネット本体を仮置きした後、前記背板によって前記左右側板部の後部の上部間を連結し、この背板を前記壁面に固定することを特徴とする。
【００１０】
この収納一体型便器の施工方法では、背板によって左右側板部の後上部間が連結されていない状態でキャビネット本体を仮置きするため、便器洗浄装置を収納した状態にキャビネット本体を容易に仮置きすることができる。また、キャビネット本体を仮置きした後に、背板によって左右側板部の後上部間を連結し、左右側板部の後端部を容易に設定間隔に固定することができる。このため、キャビネットをトイレルームの壁面の所定の位置に容易に取り付けることができる。
【００１１】
したがって、本発明の収納一体型便器は容易に施工することができる。
【００１２】
前記左右側板部は前後方向及び垂直方向に延びた平板状の係止片部を有する係止部材を後上部に設けており、前記背板は前記係止片部を下方から挿入するスリットを左右両端部に設け得る。この場合、背板に設けられたスリットに左右側板部の後上部に設けられた係止部材の係止片部を挿入することによって、背板が左右側板部の後端部間を設定間隔に容易に連結することができる。
【００１３】
前記係止部材は、前記左右側板部の後上部の内側面に固定される固定片部と、この固定片部から内側に延びた第１片部と、この第１片部の内側端部から後方に延びた前記係止片部と、この係止片部の後端部から左右方向の一方に延びた第２片部とを有し得る。この場合、係止片部が左右側板部の内側面から内側に離れているため、背板を左右側板部の内側に配置した状態でスリットに係止片部を挿入することができる。これにより、左右側板部の後端面がトイレルームの壁面に当接するようにキャビネットを固定することができる。このため、キャビネットの側面視において背板を視認することができず、見栄えを良くすることができる。
【００１４】
前記キャビネット本体は、前記前板部を前後方向に貫通した軸部材と、この軸部材に連結して回動し、前記前板部の前面側に取り付けられた操作部材とを有する洗浄ハンドルを具備し、
前記便器洗浄装置は、前記軸部材に係合して回動する軸受部材を前面に設け、この軸受部材が回動すると前記便器本体に洗浄水を供給し得る。
【００１５】
この場合、キャビネット本体の前板部を便器洗浄装置の前方から接近させるようにして、キャビネット本体に便器洗浄装置を収納する。このようにして、洗浄ハンドルの軸部材と便器洗浄装置の軸受部材とを容易に係合可能に配置することができる。これにより、収納一体型便器は、洗浄ハンドルを手動により操作し、便器洗浄を実行することができる。
【図面の簡単な説明】
【００１６】
【図１】実施例の収納一体型便器を示す斜視図である。
【図２】実施例のキャビネット本体の配置工程を示す斜視図である。
【図３】実施例のキャビネットの取り付け工程を示す斜視図である。
【図４】（Ａ）実施例の背板を壁面にビス止めする前の状態を示す一部拡大断面図である。（Ｂ）実施例の背板を壁面にビス止めした状態を示す一部拡大断面図である。
【図５】実施例のキャビネットを取り付けた状態を示す斜視図である。
【図６】実施例の便器横パネルの取り付け工程を示す斜視図である。
【図７】（Ａ）（Ｂ）（Ｃ）他の実施例のキャビネットを示す概略図である。
【発明を実施するための形態】
【００１７】
本発明の収納一体型便器を具体化した実施例を図面を参照しつつ説明する。
【００１８】
＜実施例＞
実施例の収納一体型便器は、図１〜図３に示すように、水洗式便器１０とキャビネット２０とを備えている。また、この収納一体型便器は、キャビネット２０と、その左右両側の壁面との間に収納空間を設け、この収納空間の前面に開閉可能な扉部材３１を備えている。また、この収納一体型便器は、キャビネット２０の左右両側の壁面間であって、キャビネット２０及び扉部材３１を有する収納空間の上端に配置する天板３０を備えている。また、この収納一体型便器は、後述する水洗式便器１０の便器本体１１と扉部材３１との間に取り付ける便器横パネル３２を備えている。
【００１９】
水洗式便器１０は、便器本体１１と、便器本体１１の後部上面に配置した洗浄タンク装置１２とを有している。便器本体１１は、便鉢部１１Ａと、便鉢部１１Ａの下流側に連通した図示しない便器排水路とを有している。洗浄タンク装置１２は、タンク本体１３と、タンク本体１３の前面に取り付けられた軸受部材１４とを有している。タンク本体１３は下端部に図示しないフロート弁によって開閉する排水口を貫設している。フロート弁は軸受部材１４が回動すると引き上げられる球鎖に連結されている。フロート弁が球鎖を介して引き上げられて排水口を開放すると、タンク本体１３内に貯留した洗浄水が排水口から流出し、便器本体１１の便鉢部１１Ａに供給される。このように、洗浄タンク装置１２が便器本体１１に洗浄水を供給する便器洗浄装置を構成している。
【００２０】
軸受部材１４は、正方形の平板状に形成された基盤部１４Ａと、基盤部１４Ａの前面側の四隅から前方に突出した棒状の係止片１４Ｂと、基盤部１４Ａの裏面側の中心部からタンク本体１３内に延びる図示しない軸部とを有している。軸受部材１４は軸部を中心に回動可能である。
【００２１】
便器本体１１はその上面に局部洗浄機能付き便座装置４０が取り付けられる。局部洗浄機能付き便座装置４０は、洗浄ノズル等の局部洗浄装置を収納した便座ボックス４１と、弁座ボックス４１に回動自在に取り付けられた便座４２及び便蓋４３とを有している。
【００２２】
キャビネット２０は水洗式便器１０を設置するトイレルームＲの壁面Ｗに沿って配置される。このキャビネット２０は、前板部２１Ａ、及び左右側板部２１Ｂを一体に形成したキャビネット本体２１と、背板２２とを有している。
【００２３】
前板部２１Ａは四角形状の平板である。左右側板部２１Ｂは、前板部２１Ａの左右端部から直角方向の後方に延びている。また、左右側板部２１Ｂは、前板部２１Ａの下端縁よりも下方に延びており、下端面をトイレルームＲの床面Ｆに載置して固定される。つまり、左右側板部２１Ｂは下端部の外側面に一片がビス止めされたＬ字状の取付金具Ｋの他片を床面Ｆにビス止めして固定される。前板部２１Ａは、左右側板部２１Ｂの下端面をトイレルームＲの床面Ｆに載置した状態で、上端縁が洗浄タンク装置１２の上端部より僅か上方に位置し、下端縁が便器本体１１の上面より僅か上方に位置する。また、前板部２１Ａは、横幅が洗浄タンク装置１２の横幅よりも広く形成されている。
【００２４】
キャビネット本体２１は洗浄ハンドル２３を具備している。洗浄ハンドル２３は、前板部２１Ａを前後方向に貫通した軸部材２４と、この軸部材２４に連結して回動し、前板部２１Ａの前面側に位置する操作部材２５とを有している。また、洗浄ハンドル２３は、キャビネット本体２１がトイレルームＲの床面Ｆ及び壁面Ｗに固定された状態で、軸部材２４が水洗式便器１０の洗浄タンク装置１２に取り付けられた軸受部材１４に対向する位置に設けられている。軸部材２４は、前板部２１Ａを貫通する軸部２４Ａと、前板部２１Ａの裏面側で軸部２４Ａの先端部に連結した十字状の被係止片２４Ｂとから形成されている。操作部材２５が操作されて軸部材２４が回動すると、被係止片２４Ｂが軸受部材１４の係止片１４Ｂに係止して軸受部材１４も回動する。
【００２５】
左右側板部２１Ｂの内側面間の間隔は、洗浄タンク装置１２の横幅よりも広く形成されている。左右側板部２１Ｂは下部後方に切欠き部２６が設けられている。この切欠き部２６は、図５に示すように、キャビネット本体２１が床面Ｆ及び壁面Ｗに固定された状態で、洗浄タンク装置１２の給水ホースＳ１、及び局部洗浄機能付き便座装置４０の給水ホースＳ２をトイレルームＲ内に引き出された給水管に取り付けられた止水栓Ｖに接続する際等に利用する。
【００２６】
右側板部２１Ｂ（便器本体１１の先端側から見て右側）は、図２に示すように、洗浄ハンドル２３の軸部材２４に対応する高さに開口部２７が設けられている。この開口部２７は、洗浄ハンドル２３の軸部材２４と、タンク本体１３の前面に取り付けられた軸受部材１４との状態を確認したり、メンテナンスをしたりする際等に利用する。
【００２７】
左右側板部２１Ｂは、図１〜図３に示すように、上端部の外側面に取り付けられて、左右側板部２１Ｂの上端面と面一となる上面２８Ａが形成された天板受部材２８を有している。天板受部材２８の上面２８Ａには天板３０が載置される。
【００２８】
左右側板部２１Ｂは後上部の内側面に設けられた係止部材２９を有している。係止部材２９は、金属製の長方形状の平板を三か所、折り曲げて形成されている。係止部材２９は、左右側板部２１Ｂの後上部の内側面にビス止めされた固定片部２９Ａと、この固定片部２９Ａの後端部から直角方向の内側に延びた第１片部２９Ｂと、この第１片部２９Ｂの内側端部から直角方向の後方に延びた係止片部２９Ｃと、この係止片部２９Ｃの後端部から直角方向の内側に延びた第２片部２９Ｄとを有している。このように、係止片部２９Ｃは左右側板部２１Ｂの内側面から内側に離れた位置で前後方向及び垂直方向に延びた平板状に形成されている。
【００２９】
背板２２は、係止部材２９の平板状の係止片部２９Ｃを下方から挿入するスリット２２Ａを左右両端部に設けている。背板２２は、スリット２２Ａに左右側板部２１Ｂに設けられた係止部材２９の係止片部２９Ｃを挿入すると、左右側板部２１Ｂの後端部間を設定間隔に連結するように、その横幅及びスリット２２Ａ間の間隔が設定されている。背板２２は、スリット２２Ａに係止片部２９Ｃを挿入して、左右側板部２１Ｂの後上部間を連結した後、トイレルームＲの壁面Ｗにビス止めされる。
【００３０】
便器横パネル３２は、図１及び図６に示すように、前板部２１Ａの下端面に当接する上端面と、前板部２１Ａの左右側面に連続する外側面と、トイレルームＲの床面に当接する下端面と、便器本体１１の側面形状に沿った内側面とを有している。便器横パネル３２は内側面の下部に便器本体１１の側面に当接するパッキン３２Ａが取り付けられている。また、便器本体１１の左側（便器本体１１の先端側から見て左側）に取り付けられる便器横パネル３２は内側面の一部を切欠いて局部洗浄機能付き便座装置４０の給水ホースＳ２を挿通する切欠き部３２Ｄを有している。
【００３１】
便器横パネル３２は上端面に上方に突出した２つのダボピン３２Ｂを設けている。これらダボピン３２Ｂに対応する位置の前板部２１Ａの下端面には、ダボ孔２１Ｃが設けられている。また、便器横パネル３２は、裏面であって、左右側板部２１Ｂの前端面に当接する部分に１つのダボ孔３２Ｃが設けられている。このダボ孔３２Ｃに対応する位置の左右側板部２１Ｂの前端面には、前方に突出した１つのダボピン２１Ｄが設けられている。また、便器横パネル３２は、裏面にローラーキャッチ３３のストライク部材３３Ａが取り付けられている。このストライク部材３３Ａに対応する位置の左右側板部２１Ｂの内面にローラーキャッチ３３のキャッチ本体３３Ｂが取り付けられている。
【００３２】
次に、このように構成された収納一体型便器をトイレルームＲに施工する手順を説明する。
【００３３】
［水洗式便器の取付け］
先ず、便器本体１１をトイレルームＲの床面Ｆに取り付ける。この際、床面Ｆには壁面Ｗから所定間隔離れた位置に図示しない排水管が立ち上げられている。この排水管に図示しない排水接続部材を接続する。便器本体１１の便器排水路の下流端を排水接続部材に上端開口に接続しつつ、便器本体１１を床面Ｆに取り付ける。その後、洗浄タンク装置１２を便器本体１１の後部上面に載置して固定する。
【００３４】
［キャビネットの取付け］
次に、キャビネット２０をトイレルームＲの壁面Ｗ及び床面Ｆに取り付ける。この際、キャビネット本体２１は、図２に示すように、左右側板部２１Ｂの下端部の前端角部を支点にしてキャビネット本体２１を回動させるようにして、前板部２１Ａを洗浄タンク装置１２の前方から接近させる。キャビネット本体２１の前板部２１Ａに取り付けられた洗浄ハンドル２３の軸部材２４と、タンク本体１３に取り付けられた軸受部座１４とが対向する位置に配置される。このようにして、洗浄ハンドル２３の軸部材２４と洗浄タンク装置１２の軸受部材１４とを容易に係合可能に配置することができる。このように、この収納一体型便器は、便器洗浄タンク装置１２を収納した状態にキャビネット本体２１を容易に仮置きすることができる。また、この収納一体型便器は、洗浄ハンドル２３を手動により操作し、便器洗浄を実行することができる。
【００３５】
洗浄タンク装置１２を収納した状態にキャビネット本体２１を仮置きした状態で、図３に示すように、背板２２のスリット２２Ａに左右側板部２１Ｂに設けられた係止部材２９の係止片部２９Ｃを挿入する。これにより、左右側板部２１Ｂの後端部間は設定間隔に容易に連結することができる。この状態で、図４（Ａ）に示すように、キャビネット２０の位置決めを行い、図４（Ｂ）に示すように、背板２２をトイレルームＲの壁面Ｗにビス止めする。また、左右側板部２１Ｂの下端部の外側面に一片をビス止めされた取付金具Ｋの他片を床面Ｆにビス止め固定する。このようにして、キャビネット２０をトイレルームＲの所定の位置に容易に取り付けることができる。
【００３６】
したがって、実施例の収納一体型便器は容易に施工することができる。
【００３７】
また、係止片部２９Ｃが左右側板部２１Ｂの内側面から内側に離れているため、背板２２を左右側板部２１Ｂの内側に配置した状態でスリット２２Ａに係止片部２９Ｃを挿入することができる。これにより、左右側板部２１Ｂの後端面がトイレルームＲの壁面Ｗに当接するようにキャビネット２０を固定することができる。このため、キャビネット２０の側面視において背板２２を視認することができず、見栄えを良くすることができる。
【００３８】
その後、図５に示すように、キャビネット２０と洗浄タンク装置１２との間に給水ホースＳ１を通し、給水ホースＳ１の一端を洗浄タンク装置１２に接続し、左側板部２１Ｂの下部後方に設けられた切欠き部２６を利用して、給水ホースＳ１の他端を止水栓Ｖに接続する。
【００３９】
［局部洗浄機能付き便座装置の取付け］
次に、局部洗浄機能付き便座装置４０を便器本体１１の上面に取り付ける。その後、局部洗浄機能付き便座装置４０の給水口に給水ホースＳ２の一端を接続し、左側板部２１Ｂの下部後方に設けられた切欠き部２６を利用して、給水ホースＳ２の他端を止水栓Ｖに接続する。また、図示しない電源コードを壁面Ｗに設けられた図示しないコンセントに接続する。
【００４０】
［便器横パネルの取付け］
次に、便器横パネル３２をキャビネット本体２１の下部であって、便器本体１１の左右両側に取り付ける。便器横パネル３２は、図６に示すように、上端面に設けたダボピン３２Ｂを前板部２１Ａの下端面に設けられたダボ孔２１Ｃに挿入しつつ、便器横パネル３２に設けられたストライク部材３３Ａがキャッチ本体３３Ｂに保持されるように、かつ左右側板部２１Ｂに設けられたダボピン２１Ｄが便器横パネル３２に設けられたダボ孔３２Ｃに挿入するように、便器横パネル３２をキャビネット本体２１に取り付ける。キャビネット本体２１に取り付けられた便器横パネル３２は、その前面が前板部２１Ａの前面と面一に連続し、キャビネット２０の外観を良好に仕上げることができる。
【００４１】
［扉部材の取付け］
次に、扉部材３１をキャビネット本体２１の左右側板部２１Ｂの外側面に図示しない蝶番を介して取り付ける。扉部材３１は、図１に示すように、その前面が前板部２１Ａの前面と面一に連続し、キャビネット２０の外観を良好に仕上げることができる。
【００４２】
［天板の取付け］
次に、天板３０をキャビネット本体２１に取り付けられた天板受部材２８に載置しつつ、キャビネット２０の左右両側の壁面間であって、キャビネット２０及び扉部材３１を有する収納空間の上端に配置して取り付ける。
【００４３】
このようにして、実施例の収納一体型便器はトイレルームＲへの施工を完了する。
【００４４】
本発明は上記記述及び図面によって説明した実施例に限定されるものではなく、例えば次のような実施例も本発明の技術的範囲に含まれる。
（１）実施例では、係止部材は金属製の長方形状の平板を三か所、折り曲げて形成したが、前後方向及び垂直方向に延びた平板状の係止片部を形成するものであれば、係止部材は他の形状であってもよい。
【００４５】
例えば、図７（Ａ）に示すように、Ｌ字状の係止部材１２９であってもよい。この場合、係止部材１２９の一片１２９Ａの後部が左右側板部２１Ｂの後端部より後方に突出するように係止部材１２９の一片１２９Ａを左右側板部２１Ｂの内側面に固定する。この係止部材１２９の一片１２９Ａの突出した後部が係止片部となり、背板１２２に設けられたスリット１２２Ａに挿入される。このようにして、キャビネット１２０では、左右側板部２１Ｂの後端上部間を背板１２２が設定間隔に固定することができる。係止部材１２９の他片１２９Ｂは係止部材１２９Ａの一片１２９Ａの後端から直角方向の内側に延びており、背板１２２の背面側に配置される。背板１２２の横幅は左右側板部２１Ｂの外側面間の間隔と等しく形成されている。
【００４６】
また、図７（Ｂ）に示すように、Ｌ字状の係止部材１２９の一片１２９Ａの後部を左右側板部２１Ｂの後端部より後方に突出するように係止部材１２９の一片１２９Ａを左右側板部２１Ｂの外側面に固定する。この係止部材１２９の一片１２９Ａの突出した後部が係止片部となり、背板２２２に設けられたスリット２２２Ａに挿入される。このようにして、キャビネット２２０では、左右側板部２１Ｂの後上部間を背板２２２が設定間隔に固定することができる。係止部材１２９の他片１２９Ｂは係止部材１２９Ａの一片１２９Ａの後端から直角方向の内側に延びており、背板２２２の背面側に配置される。背板２２２に設けられたスリット２２２Ａは左右側板部２１の外側面に沿って形成されているため、背板２２２の横幅は左右側板部２１の外側面よりも外側にはみ出す大きさに形成されている。
【００４７】
また、図７（Ｃ）に示すように、コ字状の係止部材２２９であってもよい。この場合、係止部材２２９は、左右側板部２１Ｂの後端面に固定された固定片２２９Ａと、この固定片２２９Ａの内側端部から直角方向の後側に延びた係止片部２２９Ｂと、この係止片部２２９Ｂの後端部から直角方向の外側に延びた折り返し片部２２９Ｃとを有してコ字状に形成されている。係止片部２２９Ｂが背板３２２のスリット３２２Ａに挿入される。このようにして、キャビネット３２０は、左右側板部２１Ｂの後端上部間を背板３２２が設定間隔に固定することができる。折り返し片部２２９Ｃは背板３２２の背面側に配置される。背板３２２の横幅は左右側板部２１Ｂの外側面間の間隔と等しく形成されている。
【００４８】
（２）実施例では、洗浄タンク装置により便器洗浄装置が構成されていたが、給水源から供給される洗浄水を直接的に便器本体に供給する便器洗浄装置であってもよい。
【００４９】
（３）実施例では、キャビネット本体が洗浄ハンドルを具備していたが、洗浄ハンドルを具備しなくてもよい。この場合、局部洗浄機能付き便座装置に設けられた人体検知センサの検知信号等を利用して、使用者の用便後に自動的にタンク本体のフロート弁をモーター等によって引き上げ、タンク本体に貯留した洗浄水を排水口を介して便器本体に供給するとよい。
【符号の説明】
【００５０】
１０…水洗式便器
１１…便器本体
１２…洗浄タンク装置（便器洗浄装置）
１４…軸受部材
２０…キャビネット
２１…キャビネット本体
２１Ａ…前板部
２１Ｂ…左右側板部
２２…背板
２２Ａ…スリット
２３…洗浄ハンドル
２４…軸部材
２５…操作部材
２９…係止部材
２９Ａ…固定片部
２９Ｂ…第１片部
２９Ｃ…係止片部
２９Ｄ…第２片部
Ｒ…トイレルーム
Ｗ…壁面
Ｆ…床面
【図１】
0005626870.tif 000002
【図２】
0005626870.tif 000003
【図３】
0005626870.tif 000004
【図４】
0005626870.tif 000005
【図５】
0005626870.tif 000006
【図６】
0005626870.tif 000007
【図７】
0005626870.tif 000008